(57)【要約】      （修正有）【課題】止め合わせが簡単で、引っ張り強さを有し、抜き取り難く組み立てが快速なフット装置の提供。【解決手段】嵌合手段、雄形係止具及び雌形係止具を具え、上述の嵌合手段の挿入空間内に雄形係止具と雌形係止具が挿入され、並びに雄形係止具の係止柱と雌形係止具の係止柱に反対方向を呈するよう設置された係止歯が、嵌合手段の挿入空間内で相補式の係止位置決めを形成し、これにより雄形係止具に係止柱外縁に嵌合された片体が強固に嵌合手段底部と雄形係止具の基部表面に挟持位置決めされ、止め合わせが簡単で、引っ張り強さを有し、抜き取る力が大きく且つ速やかに組み立てられる目的を達成している。【選択図】図２
0003104045.tif 000002
【実用新案登録請求の範囲】
【請求項１】
嵌合手段、雄形係止具及び雌形係止具で組成されたフット装置であり、
該嵌合手段は挿入空間を具え、
該雄形係止具に基部が設けられ、該基部に係止柱が凸設され、該係止柱の表面に複数の係止歯が設けられ、且つ雄形係止具の係止柱が嵌合手段の挿入空間内に挿入され、
該雌形係止具に基部が設けられ、該雌形係止具の基部に係止柱が凸設され、雌形係止具の係止柱の表面に複数の係止歯が設けられ、該雌形係止具の基部が嵌合手段の挿入空間の外周に位置し、雌形係止具の係止柱が嵌合手段の挿入空間内に挿入されて雄形係止具の係止柱と係止、位置決めを形成することを特徴とする、フット装置。
【請求項２】
請求項１記載のフット装置において、嵌合手段の上縁に挿入空間と連通する収容部が設けられ、嵌合手段の収容部に雌形係止具の基部が収容されることを特徴とする、フット装置。
【請求項３】
請求項１記載のフット装置において、雄形係止具の複数の係止歯と雌形係止具の複数の係止歯が反対方向を呈するように設置されたことを特徴とする、フット装置。
【請求項４】
請求項１記載のフット装置において、雄形係止具の係止柱が雌形係止具の係止柱と相補状態を呈するよう嵌挿されることを特徴とする、フット装置。
【考案の詳細な説明】
【技術分野】
【０００１】
本考案は一種のフット装置に係り、特に雄形係止具と雌形係止具が反対方向に設置された係止歯を以て嵌合手段の挿入空間内で係止位置決めを形成することにより、止め合わせが簡単で引っ張り強度を有して抜き取る力が大きく且つ組み立てが快速である目的を達成した、フット装置に関する。
【背景技術】
【０００２】
現在市販されているリュック、手提げ袋或いは旅行鞄の種類は非常に多く、且つその材質は布、皮革或いはその他の合成材料等がある。しかし、どのような種類の材質でどのような方式で製造されても、このような袋体の底部には複数のフット装置が設けられ、このフット装置の設置により袋体を地面或いはその他の物体の表面に置く時に、過度の摩擦により袋体の底部が磨損し破裂するのが防止されている。このように底部にフット装置を設けた物品は袋体のほか、キャビネット、テーブルや椅子等数多くある。周知のフット装置の設計は図６の側面断面図に示されるようであり、それは、ベース部材Ａ、アッパー部材Ｂ、及びネジ部品Ｃで組成されている。そのうち、ベース部材Ａは基部Ａ１の上表面にネジ孔Ａ２１を具えた位置決め部Ａ２を具え、且つベース部材Ａの位置決め部Ａ２は片体Ｄの貫通孔Ｄ１を通過した後、アッパー部材Ｂの挿入空間Ｂ１内に挿入され、ネジ部品Ｃがベース部材Ａの基部Ａ１の表面に設けられたネジ孔Ａ２１内に螺合されて位置決めが形成され、これにより片体Ｄがベース部材Ａとアッパー部材Ｂの間に挟持固定される。しかし、このような周知のフット装置の構造には以下のように多くの欠点がある。
１．使用時に手持工具を用いてネジ部品Ｃを回さねばならず、使用上、面倒である。
２．周知のネジ部品Ｃは金属材質で製造され、ゆえに長時間の使用後にサビを発生しやすく、弛んで脱落しやすく、且つその生産コストも比較的高い。
【０００３】
ゆえに、上述の周知の技術の欠点と不便を解決する新たなフット装置が求められている。
【考案の開示】
【考案が解決しようとする課題】
【０００４】
本考案は一種のフット装置を提供することを目的とし、それは、雄形係止具の係止柱の表面と雌形係止具の係止柱の表面に反対方向を呈する係止歯が設けられ、雄形係止具と雌形係止具が嵌合手段の挿入空間内で相補式の係止位置決めを形成し、これにより雄形係止具の係止柱外縁に嵌合された片体が強固に嵌合手段の底部と雄形係止具の基部表面に挟持位置決めされ、これにより止め合わせが簡単で、引っ張り強さを有し、抜き取り難く組み立てが快速な目的を達成するものとする。
【課題を解決するための手段】
【０００５】
請求項１の考案は、嵌合手段、雄形係止具及び雌形係止具で組成されたフット装置であり、
該嵌合手段は挿入空間を具え、
該雄形係止具に基部が設けられ、該基部に係止柱が凸設され、該係止柱の表面に複数の係止歯が設けられ、且つ雄形係止具の係止柱が嵌合手段の挿入空間内に挿入され、
該雌形係止具に基部が設けられ、該雌形係止具の基部に係止柱が凸設され、雌形係止具の係止柱の表面に複数の係止歯が設けられ、該雌形係止具の基部が嵌合手段の挿入空間の外周に位置し、雌形係止具の係止柱が嵌合手段の挿入空間内に挿入されて雄形係止具の係止柱と係止、位置決めを形成することを特徴とする、フット装置としている。
請求項２の考案は、請求項１記載のフット装置において、嵌合手段の上縁に挿入空間と連通する収容部が設けられ、嵌合手段の収容部に雌形係止具の基部が収容されることを特徴とする、フット装置としている。
請求項３の考案は、請求項１記載のフット装置において、雄形係止具の複数の係止歯と雌形係止具の複数の係止歯が反対方向を呈するように設置されたことを特徴とする、フット装置としている。
請求項４の考案は、請求項１記載のフット装置において、雄形係止具の係止柱が雌形係止具の係止柱と相補状態を呈するよう嵌挿されることを特徴とする、フット装置としている。
【考案の効果】
【０００６】
本考案は周知の設計と較べて、以下のような点が改善されている。
１．雄形係止具の係止柱の表面と雌形係止具の係止柱の表面に反対方向を呈するように係止歯が形成され、雄形係止具と雌形係止具が嵌合手段の挿入空間内で相補式の係止位置決めを形成し、並びに雄形係止具の係止柱外周に嵌合された片体が強固に嵌合手段の底部と雄形係止具の基部表面の間に挟持位置決めされ、これにより止め合わせが簡便で、引っ張り強さを有し、抜き取り難く、且つ組み立てが快速な目的を達成している。
２．本考案を使用する時は、片体の厚さの違いにより自由に雄形係止具と雌形係止具の噛み合いの深さを調整でき、これにより使用範囲が有効に増されている。
【考案を実施するための最良の形態】
【０００７】
図１、２は本考案の立体外観図及び立体分解図である。これらの図に示されるように、本考案は、嵌合手段１、雄形係止具２及び雌形係止具３で組成されている。
【０００８】
そのうち、嵌合手段１は挿入空間１１を具え、嵌合手段１の上縁に挿入空間１１と連通する収容部１２が設けられ、且つ挿入空間１１の直径は収容部１２の直径より小さい。
【０００９】
該雄形係止具２は基部２１を具え、且つ基部２１に係止柱２２が凸設され、並びに係止柱２２の表面に複数の係止歯２２１が設けられている。
【００１０】
該雌形係止具３は基部３１を具え、且つ基部３１に係止柱３２が凸設され、並びに係止柱３２の表面に雄形係止具２の係止歯２２１と反対方向を呈するように複数の係止歯３２１が設けられている。
【００１１】
図３、４、５は本考案の組合せ前の側面断面図、組合せ時の側面断面図、及び組合せ後の側面断面図である。上述の部品が使用される時には、貫通孔４１を具えた片体４が雄形係止具２の係止柱２２に嵌合され、さらに雄形係止具２の係止柱２２が嵌合手段１の挿入空間１１内に挿入され、片体４が雄形係止具２の基部２１と嵌合手段１の底部の間に挟持される。この時、雌形係止具３の係止柱３２が嵌合手段１の上部より収容部１２を通り挿入空間１１内に挿入され、雄形係止具２の係止柱２２と雌形係止具３の係止柱３２が相補の嵌挿状態を形成し、並びに弾性変形を形成する。さらに、上述の雌形係止具３が続けて嵌合手段１の挿入空間１１に圧入された後、雄形係止具２の係止柱２２に設けられた複数の係止歯２２１が雌形係止具３の係止柱３２に設けられた複数の係止歯３２１と噛み合い状態を形成し、これにより相互に反対方向に設置された係止歯２２１、３２１により雄形係止具２と雌形係止具３の引っ張り強度が増される。さらに、上述の部品の組合せ完成後に、雌形係止具３の基部３１は嵌合手段１の収容部１２内に収容され、片体４は強固に嵌合手段１の底部と雄形係止具２の基部２１の表面間に挟持され、こうして止め合わせが簡単で、引っ張り強さを有し、抜き取り難く、且つ組み立てが快速である目的を達成する。
【００１２】
以上は本考案の好ましい実施例の説明に過ぎず、本考案の請求範囲を限定するものではない。本考案は実際の使用時に、片体４が布、皮革、木板、或いは金属板とされ得て、且つ雄形係止具２の係止柱２２と雌形係止具３の係止柱３２に嵌合の方式が利用され、雄形係止具２の係止柱２２が雌形係止具３の係止柱３２内に嵌合するか、或いは雌形係止具３の係止柱３２が雄形係止具２の係止柱２２内に嵌合される形態も可能であり、ゆえに本考案の明細書及び図面の内容に基づいてなしうる細部の修飾或いは改変であり、同じ効果を達成しうるものはいずれも本考案の請求範囲に属するものとする。
【図面の簡単な説明】
【００１３】
【図１】本考案の立体外観図である。
【図２】本考案の立体分解図である。
【図３】本考案の組合せ前の側面断面図である。
【図４】本考案の組合せ時の側面断面図である。
【図５】本考案の組合せ後の側面断面図である。
【図６】周知の技術の側面断面図である。
【符号の説明】
【００１４】
１  嵌合手段
１１  挿入空間                    １２  収容部
２  雄形係止具
２１  基部                        ２２１  係止歯
２２  係止柱
３  雌形係止具
３１  基部                        ３２１  係止歯
３２  係止柱
４  片体
４１  貫通孔
Ａ  ベース部材
Ａ１  基部                        Ａ２１  ネジ孔
Ａ２  位置決め部
Ｂ  アッパー部材
Ｂ１  挿入空間
Ｃ  ネジ部品
Ｄ  片体
Ｄ１  貫通孔
【図１】
0003104045.tif 000003
【図２】
0003104045.tif 000004
【図３】
0003104045.tif 000005
【図４】
0003104045.tif 000006
【図５】
0003104045.tif 000007
【図６】
0003104045.tif 000008